(57)【要約】【課題】簡易な入力パターンにより複数の機能を連続的に実行することで、ユーザに使いやすい操作方法を可能とした移動体通信端末装置を提供する。【解決手段】移動体通信端末装置の具備する液晶部１、２を用いて、一連の処理動作を実行させるマクロ情報を設定し、該設定したマクロ情報に対して、液晶部１、２から入力した線形状のラインモデル情報（ラインモデルの形状情報、ラインモデルの位置情報）を付与し、マクロ情報と共にラインモデル情報をＦＬＡＳＨ  ＲＯＭ１２に登録する。そして、液晶部１、２から、ＦＬＡＳＨ  ＲＯＭ１２に登録されているラインモデル情報を入力することで、該入力したラインモデル情報に対応するマクロ情報が、ＦＬＡＳＨ  ＲＯＭ１２から呼び出され一連の処理動作が行われることとなり、簡易な入力パターンにより、複数の機能を連続的に実行することが可能となる。【選択図】        図２
2004343344.tif 000002
【特許請求の範囲】
【請求項１】
所定の操作と画像表示とを兼用可能な液晶部を有する移動体通信端末装置であって、
一連の操作を行うマクロ情報を設定するマクロ情報設定手段と、
前記マクロ情報設定手段により設定したマクロ情報に対して、前記液晶部から入力した線形状のラインモデル情報を設定し、該設定したラインモデル情報と共に前記マクロ情報を記録するラインモデル記録手段と、
前記液晶部から入力したラインモデル情報に対応するマクロ情報を前記ラインモデル記録手段から読み出すマクロ情報読出手段と、
前記マクロ情報読出手段により読み出したマクロ情報の一連の操作を実行するマクロ処理手段と、
を有することを特徴とする移動体通信端末装置。
【請求項２】
前記マクロ情報設定手段は、
前記液晶部に所定の操作を行うことで、前記マクロ情報設定手段によるマクロ情報の設定を可能とするマクロ情報設定移行手段を有することを特徴とする請求項１記載の移動体通信端末装置。
【請求項３】
前記マクロ情報設定手段により設定したマクロ情報が前記ラインモデル記録手段に記録されているか否かを判定するマクロ情報判定手段を有し、
前記マクロ情報判定手段により、前記マクロ情報が前記マクロ情報記録手段に記録されていないと判定した場合に、前記液晶部から前記ラインモデル情報を入力可能とすることを特徴とする請求項１記載の移動体通信端末装置。
【請求項４】
前記マクロ情報判定手段により、前記マクロ情報が前記ラインモデル記録手段に記録されていると判定した場合に、前記マクロ情報が記録されている旨を前記液晶部に表示するマクロ情報存在表示手段を有することを特徴とする請求項３記載の移動体通信端末装置。
【請求項５】
前記液晶部から入力した線形状のラインモデル情報が前記ラインモデル記録手段に記録されているか否かを判定するラインモデル情報判定手段を有し、
前記ラインモデル情報判定手段により、前記ラインモデル情報が前記ラインモデル記録手段に記録されていないと判定した場合に、前記マクロ情報設定手段により設定したマクロ情報に対して、前記液晶部から入力した線形状のラインモデル情報を設定することを特徴とする請求項１記載の移動体通信端末装置。
【請求項６】
前記ラインモデル情報判定手段により、前記ラインモデル情報が前記ラインモデル記録手段に記録されていると判定した場合に、前記ラインモデル情報が記録されている旨を前記液晶部に表示するラインモデル情報存在表示手段を有することを特徴とする請求項５記載の移動体通信端末装置。
【請求項７】
前記ラインモデル記録手段に記録したラインモデル情報に対して、前記ラインモデル情報を識別するための登録名を設定する登録名設定手段を有することを特徴とする請求項１記載の移動体通信端末装置。
【請求項８】
前記マクロ情報読出手段は、
前記液晶部から入力したラインモデル情報が前記ラインモデル記録手段に記録されているか否かを判定する登録内容判定手段を有し、
前記登録内容判定手段により、前記ラインモデル情報が記録されていると判定した場合に、前記ラインモデル情報に対応するマクロ情報を前記ラインモデル記録手段から読み出すことを特徴とする請求項１記載の移動体通信端末装置。
【請求項９】
前記登録内容判定手段により、前記ラインモデル情報が前記ラインモデル記録手段に記録されていないと判定した場合に、前記ラインモデル情報が記録されていない旨を前記液晶部に表示する登録内容存在表示手段を有することを特徴とする請求項８記載の移動体通信端末装置。
【請求項１０】
前記ラインモデル情報は、
前記液晶部に入力したラインモデルの形状を示す形状情報と、前記液晶部に入力したラインモデルの位置を示す位置情報と、で構成されており、
前記登録内容判定手段は、
前記液晶部から入力したラインモデルの形状情報が前記ラインモデル記録手段に記録されているか否かを判定するラインモデル形状情報判定手段と、
前記液晶部から入力したラインモデルの位置情報が前記ラインモデル記録手段に記録されているか否かを判定するラインモデル位置情報判定手段と、を有し、
前記ラインモデル形状情報判定手段により前記ラインモデルの形状情報が前記ラインモデル記録手段に記録されていると判定し、前記ラインモデル位置情報判定手段により前記ラインモデルの位置情報が前記ラインモデル記録手段に記録されていると判定した場合に、前記ラインモデルの形状情報と位置情報とに対応するマクロ情報を前記ラインモデル記録手段から読み出すことを特徴とする請求項８記載の移動体通信端末装置。
【請求項１１】
前記登録内容判定手段は、
前記ラインモデル位置情報判定手段を行うか否かを設定する位置情報判定設定手段を有し、
前記ラインモデル位置情報判定手段を行うと設定した場合は、
前記ラインモデル形状情報判定手段により、前記ラインモデルの形状情報が前記ラインモデル記録手段に記録されていると判定し、前記ラインモデル位置情報判定手段により、前記ラインモデルの位置情報が前記ラインモデル記録手段に記録されていると判定した場合に、前記ラインモデルの形状情報と位置情報とに対応するマクロ情報を前記ラインモデル記録手段から読み出し、
前記ラインモデル位置情報判定手段を行わないと設定した場合は、
前記ラインモデル形状情報判定手段により、前記ラインモデルの形状情報が前記ラインモデル記録手段に記録されていると判定した場合に、前記ラインモデルの形状情報に対応するマクロ情報を前記ラインモデル記録手段から読み出すことを特徴とする請求項１０記載の移動体通信端末装置。
【請求項１２】
前記マクロ情報読出手段は、
前記ラインモデル情報が前記ラインモデル記録手段に複数存在するか否かを判定する第１のラインモデル存在数判定手段を有し、
前記ラインモデル情報が複数存在すると判定した場合は、ラインモデル情報が複数存在する旨を前記液晶部に表示し、前記液晶部から指定されたラインモデル情報に対応するマクロ情報を前記ラインモデル記録手段から読み出し、
前記ラインモデル情報が単一と判定した場合は、該単一と判定したラインモデル情報に対応するマクロ情報を前記ラインモデル記録手段から読み出すことを特徴とする請求項１または８記載の移動体通信端末装置。
【請求項１３】
前記登録内容判定手段は、
前記ラインモデルの形状情報と、位置情報と、が同じラインモデル情報が前記ラインモデル記録手段に複数存在するか否かを判定する第２のラインモデル存在数判定手段を有し、
前記ラインモデルの形状情報と、位置情報と、が同じラインモデル情報が前記ラインモデル記録手段に複数存在すると判定した場合は、前記ラインモデル情報が複数存在する旨を前記液晶部に表示し、前記液晶部から指定されたラインモデル情報に対応するマクロ情報を前記ラインモデル記録手段から読み出し、
前記ラインモデルの形状情報と、位置情報と、が同じラインモデル情報が単一と判定した場合は、該単一と判定したラインモデル情報に対応するマクロ情報を前記ラインモデル記録手段から読み出すことを特徴とする請求項１０または１１記載の移動体通信端末装置。
【請求項１４】
前記マクロ情報読出手段は、
前記液晶部から入力したラインモデル情報に対応するマクロ情報を前記ラインモデル記録手段から継続して読み出すマクロ情報読出継続手段を有することを特徴とする請求項１記載の移動体通信端末装置。
【請求項１５】
所定の操作と画像表示とを兼用可能な液晶部と、記憶部と、制御部と、を有する情報通信端末装置において実行されるデータ操作処理プログラムであって、
前記液晶部から設定された一連の操作を行うマクロ情報を前記記憶部に一時的に設定するマクロ情報設定処理と、
前記マクロ情報設定処理により一時的に設定したマクロ情報に対して、前記液晶部から入力した線形状のラインモデル情報を設定し、該設定したラインモデル情報と共に前記マクロ情報を前記記憶部に登録するラインモデル登録処理と、
前記液晶部から入力したラインモデル情報に対応するマクロ情報を前記記憶部から読み出すマクロ情報読出処理と、
前記マクロ情報読出処理により読み出したマクロ情報の一連の操作を実行するマクロ処理と、
を前記制御部に実行させることを特徴とするデータ操作処理プログラム。
【請求項１６】
前記液晶部に所定の操作が行われることで、前記マクロ情報設定処理によるマクロ情報の設定を可能とするマクロ情報設定移行処理を前記制御部に実行させることを特徴とする請求項１５記載のデータ操作処理プログラム。
【請求項１７】
前記マクロ情報設定処理により設定したマクロ情報が前記記憶部に登録されているか否かを判定するマクロ情報判定処理を前記制御部に実行させ、
前記マクロ情報判定処理により、前記マクロ情報が前記記憶部に登録されていないと判定した場合は、前記液晶部から前記ラインモデル情報の入力を可能とすることを特徴とする請求項１５記載のデータ操作処理プログラム。
【請求項１８】
前記マクロ情報判定処理により、前記マクロ情報が前記記憶部に登録されていると判定した場合に、前記マクロ情報が登録されている旨を前記液晶部に表示するマクロ情報存在表示処理を前記制御部に実行させることを特徴とする請求項１７記載のデータ操作処理プログラム。
【請求項１９】
前記液晶部から入力した線形状のラインモデル情報が前記記憶部に登録されているか否かを判定するラインモデル情報判定処理を前記制御部に実行させ、
前記ラインモデル情報判定処理により、前記ラインモデル情報が前記記憶部に登録されていないと判定した場合は、前記マクロ情報設定処理により設定したマクロ情報に対して、前記液晶部から入力した線形状のラインモデル情報を設定することを特徴とする請求項１５記載のデータ操作処理プログラム。
【請求項２０】
前記ラインモデル情報判定処理により、前記ラインモデル情報が前記記憶部に登録されていると判定した場合に、前記ラインモデル情報が前記記憶部に登録されている旨を前記液晶部に表示するラインモデル情報存在表示処理を前記制御部に実行させることを特徴とする請求項１５記載のデータ操作処理プログラム。
【請求項２１】
前記記憶部に登録したラインモデル情報に対して、前記ラインモデル情報を識別するための登録名を設定する登録名設定処理を前記制御部に実行させることを特徴とする請求項１５記載のデータ操作処理プログラム。
【請求項２２】
前記液晶部から入力したラインモデル情報が前記記憶部に登録されているか否かを判定する登録内容判定処理を前記制御部に実行させ、
前記登録内容判定処理により、前記ラインモデル情報が前記記憶部に登録されていると判定した場合は、前記ラインモデル情報に対応するマクロ情報を前記記憶部から読み出すことを特徴とする請求項１５記載のデータ操作処理プログラム。
【請求項２３】
前記登録内容判定処理により、前記ラインモデル情報が前記記憶部に登録されていないと判定した場合は、前記ラインモデル情報が前記記憶部に登録されていない旨を前記液晶部に表示する登録内容存在表示処理を前記制御部に実行させることを特徴とする請求項２２記載のデータ操作処理プログラム。
【請求項２４】
前記ラインモデル情報は、
前記液晶部に入力したラインモデルの形状を示す形状情報と、前記液晶部に入力したラインモデルの位置を示す位置情報と、で構成されており、
前記登録内容判定処理は、
前記液晶部から入力したラインモデルの形状情報が前記記憶部に登録されているか否かを判定するラインモデル形状情報判定処理と、
前記液晶部から入力したラインモデルの位置情報が前記記憶部に登録されているか否かを判定するラインモデル位置情報判定処理と、を前記制御部に実行させ、
前記ラインモデル形状情報判定処理により前記ラインモデルの形状情報が前記記憶部に登録されていると判定し、前記ラインモデル位置情報判定処理により前記ラインモデルの位置情報が前記記憶部に登録されていると判定した場合に、前記ラインモデルの形状情報と位置情報とに対応するマクロ情報を前記記憶部から読み出すことを特徴とする請求項２２記載のデータ操作処理プログラム。
【請求項２５】
前記ラインモデル位置情報判定処理を行うか否かを判定する位置情報判定処理を前記制御部に実行させ、
前記ラインモデル位置情報判定処理を行うと判定した場合は、
前記ラインモデル形状情報判定処理により前記ラインモデルの形状情報が前記記憶部に登録されていると判定し、前記ラインモデル位置情報判定処理により前記ラインモデルの位置情報が前記記憶部に登録されていると判定した場合に、前記ラインモデルの形状情報と位置情報とに対応するマクロ情報を前記記憶部から読み出し、
前記ラインモデル位置情報判定手段を行わないと判定した場合は、
前記ラインモデル形状情報判定処理により前記ラインモデルの形状情報が前記記憶部に登録されていると判定した場合に、前記ラインモデルの形状情報に対応するマクロ情報を前記記憶部から読み出すことを特徴とする請求項２４記載のデータ操作処理プログラム。
【請求項２６】
前記マクロ情報読出処理は、
前記ラインモデル情報が前記記憶部に複数存在するか否かを判定する第１のラインモデル存在数判定処理を前記制御部に実行させ、
前記ラインモデル情報が複数存在すると判定した場合に、ラインモデル情報が複数存在する旨を前記液晶部に表示し、前記液晶部から指定されたラインモデル情報に対応するマクロ情報を前記記憶部から読み出し、
前記ラインモデル情報が単一と判定した場合に、該単一と判定したラインモデル情報に対応するマクロ情報を前記記憶部から読み出すことを特徴とする請求項１５または２２記載のデータ操作処理プログラム。
【請求項２７】
前記登録内容判定処理は、
前記ラインモデルの形状情報と、位置情報と、が同じラインモデル情報が前記記憶部に複数存在するか否かを判定する第２のラインモデル存在数判定処理を前記制御部に実行させ、
前記ラインモデルの形状情報と、位置情報と、が同じラインモデル情報が前記記憶部に複数存在すると判定した場合に、前記ラインモデル情報が複数存在する旨を前記液晶部に表示し、前記液晶部から指定されたラインモデル情報に対応するマクロ情報を前記記憶部から読み出し、
前記ラインモデルの形状情報と、位置情報と、が同じラインモデル情報が単一と判定した場合に、該単一と判定したラインモデル情報に対応するマクロ情報を前記記憶部から読み出すことを特徴とする請求項２４または２５記載のデータ操作処理プログラム。
【請求項２８】
前記マクロ情報読出処理は、
前記液晶部から入力したラインモデル情報に対応するマクロ情報を前記記憶部から継続して読み出すマクロ情報読出継続処理を前記制御部に実行させることを特徴とする請求項１５記載のデータ操作処理プログラム。
【発明の詳細な説明】
【０００１】
【発明の属する技術分野】
本発明は、移動体通信端末装置および液晶部を具備する情報通信端末装置におけるデータ操作処理プログラムに関し、特に、多数の操作を行うことにより実現される所定の処理動作を、簡略な操作を用いて実現させる移動体通信端末装置およびデータ操作処理プログラムに関する。
【０００２】
【従来の技術】
近年の携帯電話機においては、電子メールの送受信機能、ブラウザ機能等の様々な機能の増加に伴い、携帯電話機の具備する操作キーを用いて入力操作を行う機会が多い。例えば、電話番号を入力するために、待受け状態から所定の操作キーを複数回入力して宛先表示画面を表示させる場合がある。
【０００３】
また、近年では、携帯電話機の小型化、多機能化が急速に行われており、例えば、携帯電話機の小型化により、携帯電話機の具備する表示部の画面サイズ、操作キーの縮小化が図られている。
このため、操作キーの減少化により、操作キーに対して複数の機能を割り当てる必要がある。また、携帯電話機の多機能化により、携帯電話機の操作メニューの体系は複雑になり、ユーザインタフェースが犠牲になることが多い。
【０００４】
このようなことから、本発明より先に出願された従来技術として、上ケースと、下ケースと、が互いに回動可能に取り付けられた開閉式の携帯電話機において、上ケースと、下ケースと、のいずれの表面のほぼ全体にわたって表示画面を形成することで、表示画像をより大きくすることができ、また、タッチ操作型の操作ボタンをより多く設定することができ、多機能化を可能とした携帯電話機がある（例えば、特許文献１参照）。
【０００５】
【特許文献１】
特開２００２−９４６２９号公報
【０００６】
【発明が解決しようとする課題】
しかしながら、特許文献１のように、従来の携帯電話機は、タッチ操作型の操作キーを用いて、複数回の操作を行うことで、所定の機能画面に移行していたため、所望する機能画面に移行するまでの一連の操作が複雑となることが多い。
また、これからの高齢化社会では、これまで以上の分かり易いユーザインタフェースが要望されている。
【０００７】
本発明は、上記事情に鑑みてなされたものであり、簡易な入力パターンにより複数の機能を連続的に実行することで、ユーザに使いやすい操作方法を可能とした移動体通信端末装置およびデータ操作処理プログラムを提供することを目的とする。
【０００８】
【課題を解決するための手段】
かかる目的を達成するために本発明は以下のような特徴を有する。
請求項１記載の発明は、所定の操作と画像表示とを兼用可能な液晶部を有する移動体通信端末装置であって、一連の操作を行うマクロ情報を設定するマクロ情報設定手段と、マクロ情報設定手段により設定したマクロ情報に対して、液晶部から入力した線形状のラインモデル情報を設定し、該設定したラインモデル情報と共にマクロ情報を記録するラインモデル記録手段と、液晶部から入力したラインモデル情報に対応するマクロ情報をラインモデル記録手段から読み出すマクロ情報読出手段と、マクロ情報読出手段により読み出したマクロ情報の一連の操作を実行するマクロ処理手段と、を有することを特徴とする。
【０００９】
請求項２記載の発明は、請求項１記載の移動体通信端末装置において、マクロ情報設定手段は、液晶部に所定の操作を行うことで、マクロ情報設定手段によるマクロ情報の設定を可能とするマクロ情報設定移行手段を有することを特徴とする。
【００１０】
請求項３記載の発明は、請求項１記載の移動体通信端末装置において、マクロ情報設定手段により設定したマクロ情報がラインモデル記録手段に記録されているか否かを判定するマクロ情報判定手段を有し、マクロ情報判定手段により、マクロ情報がマクロ情報記録手段に記録されていないと判定した場合に、液晶部からラインモデル情報を入力可能とすることを特徴とする。
【００１１】
請求項４記載の発明は、請求項３記載の移動体通信端末装置において、マクロ情報判定手段により、マクロ情報がラインモデル記録手段に記録されていると判定した場合に、マクロ情報が記録されている旨を液晶部に表示するマクロ情報存在表示手段を有することを特徴とする。
【００１２】
請求項５記載の発明は、請求項１記載の移動体通信端末装置において、液晶部から入力した線形状のラインモデル情報がラインモデル記録手段に記録されているか否かを判定するラインモデル情報判定手段を有し、ラインモデル情報判定手段により、ラインモデル情報がラインモデル記録手段に記録されていないと判定した場合に、マクロ情報設定手段により設定したマクロ情報に対して、液晶部から入力した線形状のラインモデル情報を設定することを特徴とする。
【００１３】
請求項６記載の発明は、請求項５記載の移動体通信端末装置において、ラインモデル情報判定手段により、ラインモデル情報がラインモデル記録手段に記録されていると判定した場合に、ラインモデル情報が記録されている旨を液晶部に表示するラインモデル情報存在表示手段を有することを特徴とする。
【００１４】
請求項７記載の発明は、請求項１記載の移動体通信端末装置において、ラインモデル記録手段に記録したラインモデル情報に対して、ラインモデル情報を識別するための登録名を設定する登録名設定手段を有することを特徴とする。
【００１５】
請求項８記載の発明は、請求項１記載の移動体通信端末装置において、マクロ情報読出手段は、液晶部から入力したラインモデル情報がラインモデル記録手段に記録されているか否かを判定する登録内容判定手段を有し、登録内容判定手段により、ラインモデル情報が記録されていると判定した場合に、ラインモデル情報に対応するマクロ情報をラインモデル記録手段から読み出すことを特徴とする。
【００１６】
請求項９記載の発明は、請求項８記載の移動体通信端末装置において、登録内容判定手段により、ラインモデル情報がラインモデル記録手段に記録されていないと判定した場合に、ラインモデル情報が記録されていない旨を液晶部に表示する登録内容存在表示手段を有することを特徴とする。
【００１７】
請求項１０記載の発明は、請求項８記載の移動体通信端末装置において、ラインモデル情報は、液晶部に入力したラインモデルの形状を示す形状情報と、液晶部に入力したラインモデルの位置を示す位置情報と、で構成されており、登録内容判定手段は、液晶部から入力したラインモデルの形状情報がラインモデル記録手段に記録されているか否かを判定するラインモデル形状情報判定手段と、液晶部から入力したラインモデルの位置情報がラインモデル記録手段に記録されているか否かを判定するラインモデル位置情報判定手段と、を有し、ラインモデル形状情報判定手段によりラインモデルの形状情報がラインモデル記録手段に記録されていると判定し、ラインモデル位置情報判定手段によりラインモデルの位置情報がラインモデル記録手段に記録されていると判定した場合に、ラインモデルの形状情報と位置情報とに対応するマクロ情報をラインモデル記録手段から読み出すことを特徴とする。
【００１８】
請求項１１記載の発明は、請求項１０記載の移動体通信端末装置において、登録内容判定手段は、ラインモデル位置情報判定手段を行うか否かを設定する位置情報判定設定手段を有し、ラインモデル位置情報判定手段を行うと設定した場合は、ラインモデル形状情報判定手段により、ラインモデルの形状情報がラインモデル記録手段に記録されていると判定し、ラインモデル位置情報判定手段により、ラインモデルの位置情報がラインモデル記録手段に記録されていると判定した場合に、ラインモデルの形状情報と位置情報とに対応するマクロ情報をラインモデル記録手段から読み出し、ラインモデル位置情報判定手段を行わないと設定した場合は、ラインモデル形状情報判定手段により、ラインモデルの形状情報がラインモデル記録手段に記録されていると判定した場合に、ラインモデルの形状情報に対応するマクロ情報をラインモデル記録手段から読み出すことを特徴とする。
【００１９】
請求項１２記載の発明は、請求項１または８記載の移動体通信端末装置において、マクロ情報読出手段は、ラインモデル情報がラインモデル記録手段に複数存在するか否かを判定する第１のラインモデル存在数判定手段を有し、ラインモデル情報が複数存在すると判定した場合は、ラインモデル情報が複数存在する旨を液晶部に表示し、液晶部から指定されたラインモデル情報に対応するマクロ情報をラインモデル記録手段から読み出し、ラインモデル情報が単一と判定した場合は、該単一と判定したラインモデル情報に対応するマクロ情報をラインモデル記録手段から読み出すことを特徴とする。
【００２０】
請求項１３記載の発明は、請求項１０または１１記載の移動体通信端末装置において、登録内容判定手段は、ラインモデルの形状情報と、位置情報と、が同じラインモデル情報がラインモデル記録手段に複数存在するか否かを判定する第２のラインモデル存在数判定手段を有し、ラインモデルの形状情報と、位置情報と、が同じラインモデル情報がラインモデル記録手段に複数存在すると判定した場合は、ラインモデル情報が複数存在する旨を液晶部に表示し、液晶部から指定されたラインモデル情報に対応するマクロ情報をラインモデル記録手段から読み出し、ラインモデルの形状情報と、位置情報と、が同じラインモデル情報が単一と判定した場合は、該単一と判定したラインモデル情報に対応するマクロ情報をラインモデル記録手段から読み出すことを特徴とする。
【００２１】
請求項１４記載の発明は、請求項１記載の移動体通信端末装置において、マクロ情報読出手段は、液晶部から入力したラインモデル情報に対応するマクロ情報をラインモデル記録手段から継続して読み出すマクロ情報読出継続手段を有することを特徴とする。
【００２２】
請求項１５記載の発明は、所定の操作と画像表示とを兼用可能な液晶部と、記憶部と、制御部と、を有する情報通信端末装置において実行されるデータ操作処理プログラムであって、液晶部から設定された一連の操作を行うマクロ情報を記憶部に一時的に設定するマクロ情報設定処理と、マクロ情報設定処理により一時的に設定したマクロ情報に対して、液晶部から入力した線形状のラインモデル情報を設定し、該設定したラインモデル情報と共にマクロ情報を記憶部に登録するラインモデル登録処理と、液晶部から入力したラインモデル情報に対応するマクロ情報を記憶部から読み出すマクロ情報読出処理と、マクロ情報読出処理により読み出したマクロ情報の一連の操作を実行するマクロ処理と、制御部に実行させることを特徴とする。
【００２３】
請求項１６記載の発明は、請求項１５記載のデータ操作処理プログラムにおいて、液晶部に所定の操作が行われることで、マクロ情報設定処理によるマクロ情報の設定を可能とするマクロ情報設定移行処理を制御部に実行させることを特徴とする。
【００２４】
請求項１７記載の発明は、請求項１５記載のデータ操作処理プログラムにおいて、マクロ情報設定処理により設定したマクロ情報が記憶部に登録されているか否かを判定するマクロ情報判定処理を制御部に実行させ、マクロ情報判定処理により、マクロ情報が記憶部に登録されていないと判定した場合は、液晶部からラインモデル情報の入力を可能とすることを特徴とする。
【００２５】
請求項１８記載の発明は、請求項１７記載のデータ操作処理プログラムにおいて、マクロ情報判定処理により、マクロ情報が記憶部に登録されていると判定した場合に、マクロ情報が登録されている旨を液晶部に表示するマクロ情報存在表示処理を制御部に実行させることを特徴とする。
【００２６】
請求項１９記載の発明は、請求項１５記載のデータ操作処理プログラムにおいて、液晶部から入力した線形状のラインモデル情報が記憶部に登録されているか否かを判定するラインモデル情報判定処理を制御部に実行させ、ラインモデル情報判定処理により、ラインモデル情報が記憶部に登録されていないと判定した場合は、マクロ情報設定処理により設定したマクロ情報に対して、液晶部から入力した線形状のラインモデル情報を設定することを特徴とする。
【００２７】
請求項２０記載の発明は、請求項１５記載のデータ操作処理プログラムにおいて、ラインモデル情報判定処理により、ラインモデル情報が記憶部に登録されていると判定した場合に、ラインモデル情報が記憶部に登録されている旨を液晶部に表示するラインモデル情報存在表示処理を制御部に実行させることを特徴とする。
【００２８】
請求項２１記載の発明は、請求項１５記載のデータ操作処理プログラムにおいて、記憶部に登録したラインモデル情報に対して、ラインモデル情報を識別するための登録名を設定する登録名設定処理を制御部に実行させることを特徴とする。
【００２９】
請求項２２記載の発明は、請求項１５記載のデータ操作処理プログラムにおいて、液晶部から入力したラインモデル情報が記憶部に登録されているか否かを判定する登録内容判定処理を制御部に実行させ、登録内容判定処理により、ラインモデル情報が記憶部に登録されていると判定した場合は、ラインモデル情報に対応するマクロ情報を記憶部から読み出すことを特徴とする。
【００３０】
請求項２３記載の発明は、請求項２２記載のデータ操作処理プログラムにおいて、登録内容判定処理により、ラインモデル情報が記憶部に登録されていないと判定した場合は、ラインモデル情報が記憶部に登録されていない旨を液晶部に表示する登録内容存在表示処理を制御部に実行させることを特徴とする。
【００３１】
請求項２４記載の発明は、請求項２２記載のデータ操作処理プログラムにおいて、ラインモデル情報は、液晶部に入力したラインモデルの形状を示す形状情報と、液晶部に入力したラインモデルの位置を示す位置情報と、で構成されており、登録内容判定処理は、液晶部から入力したラインモデルの形状情報が記憶部に登録されているか否かを判定するラインモデル形状情報判定処理と、液晶部から入力したラインモデルの位置情報が記憶部に登録されているか否かを判定するラインモデル位置情報判定処理と、を制御部に実行させ、ラインモデル形状情報判定処理によりラインモデルの形状情報が記憶部に登録されていると判定し、ラインモデル位置情報判定処理によりラインモデルの位置情報が記憶部に登録されていると判定した場合に、ラインモデルの形状情報と位置情報とに対応するマクロ情報を記憶部から読み出すことを特徴とする。
【００３２】
請求項２５記載の発明は、請求項２４記載のデータ操作処理プログラムにおいて、ラインモデル位置情報判定処理を行うか否かを判定する位置情報判定処理を制御部に実行させ、ラインモデル位置情報判定処理を行うと判定した場合は、ラインモデル形状情報判定処理によりラインモデルの形状情報が記憶部に登録されていると判定し、ラインモデル位置情報判定処理によりラインモデルの位置情報が記憶部に登録されていると判定した場合に、ラインモデルの形状情報と位置情報とに対応するマクロ情報を記憶部から読み出し、ラインモデル位置情報判定手段を行わないと判定した場合は、ラインモデル形状情報判定処理によりラインモデルの形状情報が記憶部に登録されていると判定した場合に、ラインモデルの形状情報に対応するマクロ情報を記憶部から読み出すことを特徴とする。
【００３３】
請求項２６記載の発明は、請求項１５または２２記載のデータ操作処理プログラムにおいて、マクロ情報読出処理は、ラインモデル情報が記憶部に複数存在するか否かを判定する第１のラインモデル存在数判定処理を制御部に実行させ、ラインモデル情報が複数存在すると判定した場合に、ラインモデル情報が複数存在する旨を液晶部に表示し、液晶部から指定されたラインモデル情報に対応するマクロ情報を記憶部から読み出し、ラインモデル情報が単一と判定した場合に、該単一と判定したラインモデル情報に対応するマクロ情報を記憶部から読み出すことを特徴とする。
【００３４】
請求項２７記載の発明は、請求項２４または２５記載のデータ操作処理プログラムにおいて、登録内容判定処理は、ラインモデルの形状情報と、位置情報と、が同じラインモデル情報が記憶部に複数存在するか否かを判定する第２のラインモデル存在数判定処理を制御部に実行させ、ラインモデルの形状情報と、位置情報と、が同じラインモデル情報が記憶部に複数存在すると判定した場合に、ラインモデル情報が複数存在する旨を液晶部に表示し、液晶部から指定されたラインモデル情報に対応するマクロ情報を記憶部から読み出し、ラインモデルの形状情報と、位置情報と、が同じラインモデル情報が単一と判定した場合に、該単一と判定したラインモデル情報に対応するマクロ情報を記憶部から読み出すことを特徴とする。
【００３５】
請求項２８記載の発明は、請求項１５記載のデータ操作処理プログラムにおいて、マクロ情報読出処理は、液晶部から入力したラインモデル情報に対応するマクロ情報を記憶部から継続して読み出すマクロ情報読出継続処理を制御部に実行させることを特徴とする。
【００３６】
【発明の実施の形態】
まず、図１、図２を参照しながら、本発明の特徴について説明する。
（本発明の特徴）
本発明の移動体通信端末装置は、移動体通信端末装置の具備する液晶部１、２を用いて、一連の処理動作を実行させるマクロ情報を設定し、該設定したマクロ情報に対して、液晶部１、２から入力した線形状のラインモデル情報（ラインモデルの形状情報、ラインモデルの位置情報）を付与し、マクロ情報と共にラインモデル情報をＦＬＡＳＨ  ＲＯＭ１２に登録する。そして、液晶部１、２から、ＦＬＡＳＨ  ＲＯＭ１２に登録されているラインモデル情報を入力することで、該入力したラインモデル情報に対応するマクロ情報が、ＦＬＡＳＨ  ＲＯＭ１２から呼び出され一連の処理動作が行われることとなり、簡易な入力パターンにより、複数の機能を連続的に実行することが可能となる。
【００３７】
（第１の実施の形態）
以下、添付図面を参照しながら本発明にかかる第１の実施の形態について説明する。
まず、図１を参照しながら、本発明にかかる携帯電話機の構成について説明する。
本発明にかかる携帯電話機は、２つの液晶部１、２を具備する折畳式の携帯電話機にて構成されており、この折畳式の構成により、２つの液晶部１、２が保護されることとなる。また、携帯電話機には、データ入力用のスタイラス３が搭載されている。
【００３８】
液晶部１は、主に、通常の画面表示を行い、液晶部２は、データ入力に関する画面表示を行う。なお、液晶部１と、液晶部２と、は画面表示能力の差分はなく、表示機能、操作機能だけであれば液晶部１と、液晶部２とを入れ替えることも可能である。即ち、液晶部１、２は、表示機能と、操作機能と、を兼用することが可能となる。
【００３９】
次に、図２を参照しながら、上記構成からなる携帯電話機の内部構成について説明する。
図２に示すように、携帯電話機は、携帯電話機を制御するＣＰＵ１０と、ワークエリアとなるＲＡＭ１１と、制御プログラム、アプリケーション、連続実行されるマクロ情報、ラインモデル情報と、が登録されるＦＬＡＳＨ  ＲＯＭ１２と、情報信号を伝送線路に送り出す信号に変換するベースバンド部１３と、携帯電話としての無線部１４と、を有して構成される。
【００４０】
なお、ラインモデル情報は、同じラインモデルで複数の別の処理を行わせるために、ラインモデルの形状情報と、ラインモデルの位置情報（ラインモデルのサイズ情報も含む）と、がＦＬＡＳＨ  ＲＯＭ１２に登録される。ラインモデルの形状情報は、図１に示す液晶部１、２に対してスタイラスや指などを用いて入力した線形状のラインモデルの情報であり、また、ラインモデルの位置情報は、その線形状のラインモデルを入力した液晶部の位置を示す情報である。
【００４１】
また、ラインモデルは、図１に示す液晶部において、一角（ペン先が液晶部に押し当てられ、ペン先が移動して線を描き、ペン先が液晶部から離れるまでの一連の操作で入力される１本の線分）のみの登録を許容する場合と、複数角の登録を許容する場合と、がある。
【００４２】
次に、図３、図４を参照しながら、上記構成からなる携帯電話機の処理動作について説明する。なお、図３は、マクロ処理のラインモデルの登録方法を示し、図４は、マクロ処理のラインモデルの利用方法を示す図である。
【００４３】
（マクロ処理のラインモデルの登録方法について）
まず、図３を参照しながら、マクロ処理のラインモデルの登録方法について説明する。
まず、携帯電話機の具備する液晶部２に所定の操作を行い、通常モードからマクロ記録モードに移行させる（ステップＳ１）。マクロ記録モードに移行させる操作方法については、ハードキーやソフトキーを用いるなど、各種考えられるが、誤操作の回避を考慮して、本実施の形態では、図６の（ａ）に示すように、液晶部２の上部を右から左へスタイラスや指でなぞることで、マクロ記録モードに移行させることとする。
【００４４】
このように、マクロ記録モードに移行する契機となる所定の操作を行うことで、携帯電話機の機能が通常モードからマクロ記録モードに移行することとなる。なお、このマクロ記録モードへの移行に伴い、図６の（ｂ）に示すように、液晶部２に表示されているキーボードの色を変化させたり、また、図６の（ａ）に示すように、液晶部１にマクロ記録中である旨の文字列（マクロ記録モード）をオーバーラップさせて表示することも可能である。これにより、ユーザにマクロ記録モードに移行した旨を通知することができる。なお、マクロ記録モードでの動作は通常動作と基本的には変わらないが、次の点のみ異なることとする。スケジューラ、電話帳等の登録処理、発信／切断処理。
【００４５】
次に、マクロ情報を登録する（ステップＳ２）。なお、マクロ情報の登録処理は、液晶部の画面上（操作上）で行うが、マクロ情報の登録中は、携帯電話機に記録されている実際のデータには反映しない。同様に、データの発信処理についても液晶部の画面遷移のみ行い、実際の発信処理は行わないこととする。
【００４６】
もし、マクロ情報の登録中に発信処理を行った場合は、発信中〜呼び出し中〜通話中に液晶部の画面を遷移させ、それぞれの画面で、キー入力することにより、ポーズ操作等にも対応することとする。
【００４７】
また、マクロ使用時のみの例外処理として、マクロ実行後、次のマクロを待つ処理を入力可能とする。通常、マクロ実行後は、即座に元の画面に戻るが、本機能により、液晶部の画面表示等を一時的に切り替えた状態で、別のマクロ処理を実行することが可能となる。また、ラインモデルを液晶部に描くことで、後述するマクロの呼出処理も可能とする。なお、コマンドは、後述するマクロ呼出モードと同じく、図７の（ｄ）に示すように、液晶部２の上部を左から右へスタイラス（もしくは指）でなぞる方法が考えられる。
【００４８】
そして、コマンド入力後、再度、図７の（ｅ）に示すように、液晶部２の画面上部を右から左になぞることで、マクロ登録を終了し（ステップＳ３）、ラインモデル記録モードへと遷移する（ステップＳ６）。
【００４９】
このラインモデル記録モードへと遷移する際に、マクロ記録モードにおいて登録したマクロ情報が、既に、ＦＬＡＳＨ  ＲＯＭ１２に登録されている場合は（ステップＳ４）、同じマクロ情報がＦＬＡＳＨ  ＲＯＭ１２にある旨を液晶部にＰＯＰＵＰ表示し、ユーザの操作により、その同じマクロ情報に登録されているラインモデル情報の確認を行う。
【００５０】
なお、この時の処理動作は、まず、マクロ記録モードにおいて登録したマクロ情報が、既に、ＦＬＡＳＨ  ＲＯＭ１２に登録されているか否かを判定する（ステップＳ４）。そして、マクロ情報がＦＬＡＳＨ  ＲＯＭ１２に登録されていないと判定した場合は（ステップＳ４／ＮＯ）、ラインモデル記録モードに遷移する（ステップＳ６）。
【００５１】
また、マクロ情報がＦＬＡＳＨ  ＲＯＭ１２に登録されていると判定した場合は（ステップＳ４／ＹＥＳ）、同じマクロ情報がＦＬＡＳＨ  ＲＯＭ１２に登録されている旨を液晶部にＰＯＰＵＰ表示する。そして、このマクロ情報にラインモデル情報を登録する（ステップＳ５／登録する）、または、マクロ情報を再登録する（ステップＳ５／再登録）、または、マクロ情報にラインモデル情報を登録せず、マクロ記録モードをキャンセルする（ステップＳ５／キャンセル）、の何れかをユーザが液晶部から選択することで、その選択に応じた処理を実行する。
【００５２】
詳細には、ユーザが液晶部から選択した情報が、マクロ情報にラインモデル情報を登録する、と判定した場合は（ステップＳ５／登録する）、ラインモデル記録モードに移行する（ステップＳ６）。
【００５３】
また、ユーザが液晶部から選択した情報が、マクロ情報を再登録する、と判定した場合は（ステップＳ５／再登録）、ステップＳ２に戻り、再びマクロ情報を登録する。
【００５４】
また、ユーザが液晶部から選択した情報が、マクロ記録モードをキャンセルする、と判定した場合は（ステップＳ５／キャンセル）、ラインモデル記録モードに移行せず、マクロ情報にラインモデル情報を登録せず（ステップＳ１４）、一連の処理を終了する。
【００５５】
このように、登録したマクロ情報がＦＬＡＳＨ  ＲＯＭにあると判定した場合は、登録したマクロ情報への新規ラインモデル情報の登録と、登録したマクロ情報への新規ラインモデル情報のキャンセルと、マクロ情報の再登録と、からユーザが選択できるようにすることが可能となる。
【００５６】
そして、ラインモデル記録モードに移行した場合は（ステップＳ６）、ラインモデル情報を登録する（ステップＳ７）。
【００５７】
なお、ラインモデル情報の入力画面は、液晶部１と、液晶部２と、の液晶画面が共に特定の色でベタ表示されており、図７の（ｆ）に示すように、ラインモデル情報を入力した位置にあわせてラインモデル情報が液晶部に表示される。このとき、液晶部１と、液晶部２と、の何れの液晶部に入力した場合でも、ラインモデル情報の登録は有効とされる。
【００５８】
また、ラインモデル情報の登録は、スタイラス（もしくは指）で入力するが、このとき、ラインモデル情報として、ラインモデルの形状情報と、ラインモデルの位置情報と、が登録される。なお、ラインモデルの位置情報には、ラインモデルのサイズ情報も含むものとする。
【００５９】
ラインモデル情報の入力が一角のみを許容する場合は、液晶部からスタイラス（もしくは指）が離れた時点で、ラインモデル情報の入力が終了したと判断され、ラインモデル情報の登録を終了する（ステップＳ８）。
【００６０】
次に、ラインモデル記録モードにおいて登録したラインモデル情報が、既に、ＦＬＡＳＨ  ＲＯＭ１２に登録されているか否かを判定する（ステップＳ９）。より詳細には、まず、ラインモデル記録モードにおいて登録したラインモデルの形状情報、位置情報が、ＦＬＡＳＨ  ＲＯＭ１２に登録されているラインモデル情報と一致するか否かを判定し（ステップＳ９）、該判定により、一致しないと判定した場合は（ステップＳ９／ＮＯ）、ラインモデル情報が、ＦＬＡＳＨ  ＲＯＭ１２に登録されていないとみなし、登録名の設定に移行する（ステップＳ１１）。
【００６１】
また、判定により、一致すると判定した場合は（ステップＳ９／ＹＥＳ）、既に、ＦＬＡＳＨ  ＲＯＭ１２に同じラインモデル情報が登録されている旨を液晶部にＰＯＰＵＰ表示する。そして、この同じラインモデル情報を登録する（ステップＳ１０／登録する）、または、ラインモデル情報を再登録する（ステップＳ１０／再登録）、または、ラインモデル情報を登録せず、ラインモデル記録モードをキャンセルする（ステップＳ１０／キャンセル）、の何れかをユーザが液晶部から選択することで、その選択に応じた処理を実行する。
【００６２】
詳細には、ユーザが液晶部から選択した情報が、ラインモデル情報を登録する、と判定した場合は（ステップＳ１０／登録する）、ラインモデル情報を識別するための登録名を設定する（ステップＳ１１）。
【００６３】
また、ユーザが液晶部から選択した情報が、ラインモデル情報を再登録する、と判定した場合は（ステップＳ１０／再登録）、再びステップＳ７に戻り、ラインモデル情報を登録する。
【００６４】
また、ユーザが液晶部から選択した情報が、ライン記録モードをキャンセルする、と判定した場合は（ステップＳ１０／キャンセル）、マクロ情報にラインモデル情報を登録せずに（ステップＳ１４）、一連の処理を終了する。
【００６５】
なお、上記ステップＳ９の判定において、ラインモデルの形状情報のみの判定を行うことも可能である。
【００６６】
次に、ステップＳ１１において設定した登録名が既にＦＬＡＳＨ  ＲＯＭ１２に登録されているか否かを判定し（ステップＳ１２）、該判定により、同じ登録名が既にある場合は（ステップＳ１２／ＹＥＳ）、再びステップＳ１１に戻り、登録名を再登録させ、同じ登録名の名前を許容しないこととする。そして、同じ登録名がないと判定した場合に（ステップＳ１２／ＮＯ）、登録名をライン記録モードで登録したラインモデル情報に設定し、登録を完了させ（ステップＳ１３）、マクロ記録モードを終了する。
【００６７】
なお、上記設定した登録名は、マクロ記録モードの際に登録したマクロ情報と同じマクロ情報が、ＦＬＡＳＨ  ＲＯＭ１２に登録されていると判定した場合に（ステップＳ４）、その同じマクロ情報に登録されたラインモデル情報を、ユーザが確認する際に用いられる。
【００６８】
また、マクロ記録モード、及び、後述するマクロ呼出モードで、ラインモデルの位置情報は異なるが、ラインモデルの形状情報が同じと判定した場合に、マクロ情報と、ラインモデル情報以外に、登録名の表示を液晶部に行うことで、ユーザが情報を確認する際に分かりやすくさせるために用いられる。
【００６９】
（マクロ処理のラインモデルの利用方法）
次に、図４を参照しながら、マクロ処理のラインモデルを利用した処理動作について説明する。
まず、携帯電話機の具備する液晶部２に所定の操作を行い、通常モードからマクロ呼出モードに移行する（ステップＳ２０）。
マクロ呼出モードに移行させる操作方法としては、誤操作の回避を考慮して、図１２の（ａ）に示すように、液晶部２の上部を左から右へスタイラス（もしくは指）でなぞる操作方法とする。
【００７０】
上記操作方法により、携帯電話機は、通常モードからマクロ呼出モードに移行することとなる。また、マクロ呼出モードに移行すると共に、図１２の（ａ）に示すように、液晶部１にマクロ呼出モードである旨の文字列をオーバーラップさせて表示することで、ユーザにマクロ呼出モードである旨を通知することが可能となる。なお、マクロ呼出モードでは、液晶部は通常モード時の画面を表示し、特に変化しないものとする。
【００７１】
次に、図１２の（ｂ）に示すように、ラインモデル情報を液晶部に入力する（ステップＳ２１）。なお、ラインモデル情報の入力が一角のみを許容する場合は、ラインモデル情報の入力完了の判断は、ラインモデル情報の登録時と同様に、液晶部からスタイラス（もしくは指）が、離れた時点とする。
【００７２】
次に、液晶部に入力したラインモデルの形状情報が、ＦＬＡＳＨ  ＲＯＭ１２に登録されたラインモデルの形状情報と一致する登録内容があるか否かを判定する（ステップＳ２２）。この判定により、ラインモデルの形状情報と一致する登録内容がないと判定した場合は（ステップＳ２２／ＮＯ）、その旨を通知するＰＯＰＵＰを液晶部に表示する。そして、マクロ処理を実行せずに、元の通常モードの画面に遷移する（ステップＳ２９）。
【００７３】
また、上記判定において、ラインモデルの形状情報が、ＦＬＡＳＨ  ＲＯＭ１２に登録されたラインモデルの形状情報と一致する登録内容があると判定した場合は（ステップＳ２２／ＹＥＳ）、ラインモデルの位置情報を利用するモードか否かを判定する（ステップＳ２３）。なお、ラインモデルの位置情報を利用するモードとは、液晶部に入力したラインモデルの形状情報だけでなく、ラインモデルの位置情報も用いて、ＦＬＡＳＨ  ＲＯＭ１２に登録した内容との比較処理を行うモードである。
【００７４】
そして、上記ステップＳ２３の判定により、ラインモデルの位置情報を利用しないモードであると判定した場合は（ステップＳ２３／ＮＯ）、ステップＳ２２において、ラインモデルの形状情報だけを比較した後、ラインモデルの位置情報での比較を行わず、同じ形状情報のラインモデルが複数存在するか否かを判定する（ステップＳ２５）。そして、同じ形状情報のラインモデルが複数存在すると判定した場合は（ステップＳ２５／ＹＥＳ）、同じ形状情報のラインモデル情報を全て液晶部に表示して、ユーザからの選択操作待ち状態に遷移する。そして、ユーザが、液晶部から、実行するマクロ情報を選択することとなる（ステップＳ２６）。
【００７５】
また、上記ステップＳ２３の判定により、ラインモデルの位置情報を利用するモードであると判定した場合は（ステップＳ２３／ＹＥＳ）、ステップＳ２２において、ラインモデルの形状情報を比較した後、更に、ラインモデルの位置情報についても比較を行い（ステップＳ２４）、同じ形状情報のラインモデルが存在しても、ラインモデルの位置情報が一致しなければ、その旨を通知するＰＯＰＵＰを液晶部に表示する。
【００７６】
また、形状情報と、位置情報と、が同じラインモデルがある場合は、その、形状情報と位置情報とが同じラインモデルが複数存在するか否かを判定する（ステップＳ２５）。そして、形状情報と位置情報とが同じラインモデルが複数存在すると判定した場合は（ステップＳ２５／ＹＥＳ）、形状情報と位置情報とが同じラインモデル情報を全て液晶部に表示して、ユーザからの選択待ち状態に遷移する。そして、ユーザが、実行するマクロ情報を液晶部から選択することとなる（ステップＳ２６）。
【００７７】
次に、ラインモデル情報が単一で存在すると判定した場合（ステップＳ２５／ＮＯ）、または、ユーザが液晶部から実行するマクロ情報を選択した場合（ステップＳ２６）は、マクロ呼出モードを継続するか否かを判定する（ステップＳ２７）。なお、マクロ呼出モードを継続するか否かの旨をユーザに通知するためのＰＯＰＵＰを液晶部に表示することも可能である。
【００７８】
そして、マクロ呼出モードを継続すると判定した場合は（ステップＳ２７／ＹＥＳ）、再びステップＳ２１に戻り、ラインモデル情報を入力することとする。また、マクロ呼出モードを継続しないと判定した場合は（ステップＳ２７／ＮＯ）、マクロ処理を実行した後、元の通常モードの画面に遷移する（ステップＳ２８）。なお、本実施の形態では、ラインモデル呼出モードを継続するか否かの判断は、液晶部２の上部を右から左へスタイラス（もしくは指）でなぞることで、マクロ呼出モードを解除することとする。また、マクロ処理の実行中は液晶部１にマクロ実行モードである旨の文字列をオーバーラップさせて表示し、ユーザにマクロ実行モードである旨を通知する。そして、マクロ処理が終了した後、液晶部に表示している文字列を消去し、マクロ実行モードから通常モードに遷移する。また、マクロ処理の実行中は誤操作防止のため、その他のユーザ操作を全て禁止する。
【００７９】
このように、マクロ呼出モードに移行させ、ＦＬＡＳＨ  ＲＯＭ１２に登録済みのラインモデル情報を液晶部に入力することで、該入力したラインモデル情報に対応するマクロ情報をＦＬＡＳＨ  ＲＯＭ１２から読み出し、マクロ処理を実行することが可能となる。
【００８０】
（実施例）
次に、図３〜図１３を用いて、上記処理動作の実施例を説明する。
なお、本実施例では、２種類のラインモデルを使用し、簡易な操作で、８人の通話先を写真で確認後、自宅の電話、もしくは携帯電話に発信を行う処理動作について説明する。
【００８１】
まず、事前準備として、図５に示すように、４人づつ写っているＧｒａｐｈｉｃデータＡと、ＧｒａｐｈｉｃデータＢと、を用意する。
【００８２】
（発信先選択用の写真を表示するための一連の動作を登録する処理動作）
まず、図３、図６〜図８を参照しながら、発信先選択用の写真を表示するための一連の動作を登録する処理動作について説明する。
【００８３】
第１の処理として、図６の（ａ）に示すように、液晶部２の上部を、右から左へ、スタイラス（もしくは指）でなぞることで、通常モードからマクロ記録モードに移行する（ステップＳ１）。
第２の処理として、図６の（ｂ）に示すように、液晶部１に、図５に示すＧｒａｐｈｉｃデータＡを表示する。
第３の処理として、図６の（ｃ）に示すように、液晶部２に、図５に示すＧｒａｐｈｉｃデータＢを表示する。
【００８４】
第４の処理として、図７の（ｄ）に示すように、液晶部２の上部を、左から右へ、スタイラス（もしくは指）でなぞり、マクロ記録待ち状態にする。
第５の処理として、図７の（ｅ）に示すように、液晶部２の上部を、右から左へ、スタイラス（もしくは指）でなぞり、ラインモデル記録モードに移行する（ステップＳ６）。
第６の処理として、図７の（ｆ）に示すように、液晶部２にラインモデル「○」を入力する（ステップＳ７）。
第７の処理として、図８の（ｇ）に示すように、登録名を設定する（ステップＳ１２）。
第８の処理として、図８の（ｈ）に示すように、登録名の設定完了をもって、マクロ記録モードを終了し、通常モードに遷移する（ステップＳ１４）。
【００８５】
（電話番号を登録する（電話番号の入力ではなく、電話帳からの呼出でも良い）ための一連の動作を登録する処理動作）
次に、図３、図９〜図１１を参照しながら、電話番号を登録するための一連の動作を登録する処理動作について説明する。
【００８６】
第１の処理として、図９の（ａ）に示すように、液晶部２の上部を、右から左へ、スタイラス（もしくは指）でなぞり、通常モードからマクロ記録モードに移行させる（ステップＳ１）。
第２の処理として、図９の（ｂ）に示すように、友人Ａ−１の自宅の電話番号を入力後、発信操作を行う（ステップＳ２）。
第３の処理として、図９の（ｃ）に示すように、液晶部２の上部を、右から左へ、スタイラス（もしくは指）でなぞり、ラインモデル記録モードに移行させる（ステップＳ６）。
第４の処理として、図１０の（ｄ）に示すように、液晶部１のエリアＡ−１に示す位置にラインモデル「○」を入力する（ステップＳ７）。
第５の処理として、図１０の（ｅ）に示すように、登録名を設定する（ステップＳ１２）。
第６の処理として、図１０の（ｆ）に示すように、登録名の設定完了をもって、マクロ記録モードを終了する（ステップＳ１４）。
第７の処理として、第１の処理から第６の処理を繰り返し、携帯電話番号を登録する。なお、携帯電話番号の登録は、第４の処理として入力するラインモデルを、図１１の（ｇ）に示すように、「△」として液晶部に入力する。
第８の処理として、第１の処理から第７の処理を繰り返して、図５に示す、Ａ−２〜Ｂ−４の自宅の電話番号と携帯電話番号とを登録する。
【００８７】
（マクロ処理を実行し、発信処理を行う処理動作）
次に、図４、図１２、図１３を参照しながら、マクロ処理を実行し、友人Ａ−２の自宅の電話番号、もしくは、友人Ｂ−３の携帯電話に対して発信処理を行う処理動作について説明する。
第１の処理として、図１２の（ａ）に示すように、液晶部２の上部を、左から右へ、スタイラス（もしくは指）でなぞり、通常モードからマクロ呼出モードに移行させる（ステップＳ２０）。
第２の処理として、図１２の（ｂ）に示すように、液晶部１にラインモデル「○」を入力する（ステップＳ２１）。そして、ＧｒａｐｈｉｃデータＡと、ＧｒａｐｈｉｃデータＢと、が液晶部に表示された後、マクロ呼出モードは継続される。
第３の処理として、図１２の（ｃ）に示すように、友人Ａ−２の自宅の電話番号に発信する場合は、液晶部１のエリアＡ−２にラインモデル「○」を入力する。また、図１３の（ｄ）に示すように、友人Ｂ−３の携帯電話番号に発信する場合は、液晶部２のエリアＢ−３にラインモデル「△」を入力する。
第４の処理として、図１３の（ｅ）に示すように、発信処理後、マクロ呼出モードを終了し、通常モードに遷移する（ステップＳ２８）。
【００８８】
（第２の実施の形態）
次に、第２の実施の形態について説明する。
第１の実施の形態では、ラインモデル情報の入力が一角の場合に限定した動作について説明したが、第２の実施の形態は、複数角もしくは複数のラインモデル情報を許容することにより、さらに分かりやすいユーザインタフェースを提供することが可能となる。なお、基本的な操作方法は、第１の実施の形態と同様であるが、ラインモデル情報の入力完了のタイミングを携帯電話機が自動認識することができないため、ラインモデル情報の入力開始時を含めて、ラインモデル情報の入力動作を規定する必要がある。
【００８９】
第２の実施の形態は、以下の２つの操作方法を用いて行うこととする。
第１の操作方法は、ラインモデル情報の入力終了時に、ラインモデル情報の入力開始時の操作と同じ操作を行うことで、複数角のラインモデル情報の入力を行う操作方法とする。
第２の操作方法として、図１４に示すように、携帯電話機にハードキーを設け、該設けたハードキーを押下している間はラインモデル情報の入力中とすることで、複数角のラインモデル情報の入力を行う操作方法とする。
【００９０】
第１の操作方法については、第１の実施の形態で説明した操作方法とほぼ同じであり、ラインモデル情報入力終了時にも、液晶部２の上部をスタイラス（もしくは指）でなぞることで、ラインモデル情報の入力が終了したことを携帯電話機が検知することとする。
【００９１】
第２の操作方法については、マクロ記録時はコマンド入力後に、図１４に示すハードキーを押下することで、コマンド入力が終了し、ラインモデル情報の入力状態に遷移したことを検知する。そして、ハードキーを押下した状態でラインモデル情報を入力し、ラインモデル情報の入力完了後に、ハードキー押下をやめることで、ラインモデル情報の入力が終了したことを携帯電話機が検知することとする。なお、図１４に示す、ハードキーの位置は一例であり、特に限定するものではない。
【００９２】
なお、上述する実施の形態は、本発明の好適な実施の形態であり、本発明の要旨を逸脱しない範囲内において種々変更実施が可能である。
例えば、本実施の形態では、携帯電話機について説明したが、液晶部を具備するＰＤＡ等の情報通信端末装置であれば、特に限定するものではなく、あらゆる通信機器にも適用可能である。また、液晶部を具備する情報通信端末装置において、上記実施の形態における図３、図４に示す処理動作をプログラムとして実行させることで本実施の形態における移動体通信端末装置を構築することも可能である。
【００９３】
【発明の効果】
以上の説明より明らかなように、本発明は以下の効果を奏する。
本発明にかかる移動体通信端末装置およびデータ操作処理プログラムは、一連の処理を実行させるマクロ情報を、液晶部を用いて設定し、その設定したマクロ情報に対して、液晶部から入力したラインモデル情報を設定し、そのラインモデル情報と共に、マクロ情報を記憶部に登録する。そして、その記憶部に登録したラインモデル情報を液晶部から入力することで、そのラインモデル情報に対応したマクロ情報が記憶部から呼び出され、マクロ情報に設定した一連の処理が実行されることとなる。これにより、簡易な入力パターンとなるラインモデル情報を用いて、複数の機能を連続的に実行することとなり、ユーザに使いやすい操作方法が可能となる。
【図面の簡単な説明】
【図１】本発明にかかる第１の実施の形態における移動体通信端末装置の構成例を示す図である。
【図２】図１に示す移動体通信端末装置の内部構成を示す図である。
【図３】本発明にかかる移動体通信端末装置における、マクロ処理のラインモデルの登録方法を示すフローチャートである。
【図４】本発明にかかる移動体通信端末装置における、マクロ処理のラインモデルの利用方法を示すフローチャートである。
【図５】本発明にかかるマクロ処理の登録の際に使用するＧｒａｐｈｉｃデータを示す図である。
【図６】発信先選択用の写真を表示するための一連の動作を携帯電話機に登録する際の処理動作を説明する第１の図である。
【図７】発信先選択用の写真を表示するための一連の動作を携帯電話機に登録する際の処理動作を説明する第２の図である。
【図８】発信先選択用の写真を表示するための一連の動作を携帯電話機に登録する際の処理動作を説明する第３の図である。
【図９】電話番号を登録するための一連の動作を携帯電話機に登録する際の処理動作を説明するための第１の図である。
【図１０】電話番号を登録するための一連の動作を携帯電話機に登録する際の処理動作を説明するための第２の図である。
【図１１】電話番号を登録するための一連の動作を携帯電話機に登録する際の処理動作を説明するための第３の図である。
【図１２】マクロ処理を実行し、発信処理を行う際の処理動作を説明するための第１の図である。
【図１３】マクロ処理を実行し、発信処理を行う際の処理動作を説明するための第２の図である。
【図１４】本発明にかかる第２の実施の形態における移動体通信端末装置の構成例を示す図である。
【符号の説明】
１、２  液晶部
３  スタイラス
４  ハードキー
【図１】
2004343344.tif 000003
【図２】
2004343344.tif 000004
【図３】
2004343344.tif 000005
【図４】
2004343344.tif 000006
【図５】
2004343344.tif 000007
【図６】
2004343344.tif 000008
【図７】
2004343344.tif 000009
【図８】
2004343344.tif 000010
【図９】
2004343344.tif 000011
【図１０】
2004343344.tif 000012
【図１１】
2004343344.tif 000013
【図１２】
2004343344.tif 000014
【図１３】
2004343344.tif 000015
【図１４】
2004343344.tif 000016